(57)【要約】【課題】緩衝効果を有すると共に、被包装物を外部から見ることが可能で、かつ製造が容易な包装箱を提供する。【解決手段】蓋板２２Ａの中央部には、長方形状に形成された折目ａ１を介して４枚の平板で構成される緩衝部材６０が連接されている。折目ａ１は、裏面を内側にして、緩衝部材６０と蓋板２２Ａとが直交するように折り曲げられ、折目ａ１の長方形内側には、窓６２が形成される。緩衝部材６０の折目ａ１に沿った端辺６４は、蓋板２２Ａが閉じられた状態で、包装された被包装物Ｄ１に当接される。緩衝部材６０は、被包装物Ｄ１による蓋板２２Ａに向かう方向への押圧によって折れ曲がったり、押圧された方向に移動したりすることで変移可能となっている。被包装物Ｄ１は、上側の中央部が常に窓６２を介して箱本体の外側に表出されている。【選択図】　図５
2004059054.tif 000002
【特許請求の範囲】
【請求項１】
被包装物を出し入れ可能な開口部を有する箱本体と、
前記箱本体と一体的に形成され、前記開口部をカバー可能な蓋と、
前記箱本体及び前記蓋の少なくとも一方の少なくとも一部を構成し、前記箱本体内に包装された被包装物の一部を前記箱本体の外部から視認可能とする窓が構成された窓付板と、
前記窓付板に連接されると共に前記被包装物と前記窓付板との間に配置され、この被包装物による前記窓付板へ向かう方向への押圧によって変移可能な緩衝部材と、
を備えた包装箱。
【請求項２】
前記箱本体と一体的に形成され、前記箱本体内に包装された被包装物の移動を、前記箱本体の外部から前記窓を介してこの被包装物の特定の部分が常に視認可能とされる可視範囲内に制限する移動制限部材、をさらに備えたことを特徴とする請求項１に記載の包装箱。
【請求項３】
前記移動制限部材は、包装された被包装物と前記箱本体との間に緩衝空間を構成し、この被包装物による押圧によって前記可視範囲の外側へ変移可能であることを特徴とする請求項２に記載の包装箱。
【請求項４】
前記移動制限部材を、各々異なる５方向に備えたことを特徴とする請求項３に記載の包装箱。
【発明の詳細な説明】
【０００１】
【発明の属する技術分野】
本発明は包装箱に係り、特に、デジタルカメラ等の精密機器の包装に適用される包装箱に関する。
【０００２】
【従来の技術】
従来より、デジタルカメラ等の精密機器を包装する際には、発砲部材等の緩衝用部材を包装箱の内側に配置して、緩衝機能を持たせることが行われてきた。
【０００３】
しかしながら、包装箱とは別に緩衝用部材を配置すると、部品点数が増えるため、コストが高くなり、組み立てにも手間がかかる。
【０００４】
これに対して、実開平６−６９１１９号公報には、紙箱と緩衝用部材（中底壁、第１縦仕切壁、第２縦仕切壁）とが一体的に形成されている紙箱が開示されており、この技術によれば、包装箱としての紙箱の製造が容易で部品点数を減少させることができるという利点は有する。
【０００５】
しかしながら、上記公報に開示されている紙箱では、包装されているデジタルカメラ等を外部からは見ることはできない。上記の紙箱のように、緩衝機能を有する包装箱には緩衝用部材が備えられているので、デジタルカメラ等を外部から見えるようにすることは難しい。そのため、中身を確認するためには蓋を開け、場合によってはさらに、緩衝用部材を除去する必要があると共に、包装箱には、商品名や商品の写真等を印刷する必要があった。
【０００６】
【発明が解決しようとする課題】
本発明は、上記事実を考慮して成されたものであり、緩衝効果を有すると共に、被包装物を外部から見ることが可能で、かつ製造が容易な包装箱を提供することを目的とする。
【０００７】
【課題を解決するための手段】
上記目的を達成するために、本発明の包装箱は、被包装物を出し入れ可能な開口部を有する箱本体と、前記箱本体と一体的に形成され、前記開口部をカバー可能な蓋と、前記箱本体及び前記蓋の少なくとも一方の少なくとも一部を構成し、前記箱本体内に包装された被包装物の一部を前記箱本体の外部から視認可能とする窓が構成された窓付板と、前記窓付板に連接されると共に前記被包装物と前記窓付板との間に配置され、この被包装物による前記窓付板へ向かう方向への押圧によって変移可能な緩衝部材と、を含んで構成されている。
【０００８】
本発明の包装箱で被包装物を包装する際には、被包装物は開口部から箱本体内に収納される。この状態で蓋が閉められると、蓋により開口部がカバーされて、被包装物は包装箱内部に格納される。ここで、箱本体及び蓋の少なくとも一方の少なくとも一部を構成する窓付板には窓があるため、窓を介して包装された被包装物の少なくとも一部を見ることができる。
【０００９】
また、本発明の包装箱に衝撃が加えられ、被包装物により、緩衝部材が窓付板へ向かう方向へ押圧されると、この緩衝部材は変移する。これにより、被包装物への衝撃は吸収される。ここで変移とは、緩衝部材自体の平行移動や回転による移動や、緩衝部材自体の変形による一部の移動を意味する。
【００１０】
本発明の包装箱によれば、上記緩衝効果を有する緩衝部材は、箱本体及び蓋の少なくとも一方の少なくとも一部を構成する窓付板と連接されているので、箱本体と緩衝部材、又は、蓋と緩衝部材、とを一体的に形成することができる。その結果、上記緩衝効果を有し、かつ、被包装物を外部から見ることの可能な包装箱を、容易に製造することができる。
【００１１】
本発明の包装箱は、請求項２に記載のように、前記箱本体と一体的に形成され、前記箱本体内に包装された被包装物の移動を、前記箱本体の外部から前記窓を介してこの被包装物の特定の部分が常に視認可能とされる可視範囲内に制限する移動制限部材、をさらに備えたことを特徴とすることもできる。
【００１２】
この構成によれば、移動制限部材によって、前記箱本体内に包装された被包装物の移動が、前記箱本体の外部から前記窓を介してこの被包装物の特定の部分が常に視認可能とされる可視範囲内に制限される。ここで、特定の部分とは、被包装物を包装する側の者が意図する、被包装物の任意の部分をいい、例えば、被包装物の商品名が記載されている部分、その被包装物のデザイン的に特徴的な部分等を示す。このように、被包装物の特定の部分を常に外部から見えるようにすることにより、中身の確認をより容易に行うことができる。
【００１３】
本発明の包装箱は、請求項３に記載のように、前記移動制限部材は、包装された被包装物と前記箱本体との間に緩衝空間を構成し、この被包装物による押圧によって前記可視範囲の外側へ変移可能であることを特徴とすることもできる。
【００１４】
この構成によれば、移動制限部材が被包装物による押圧によって前記可視範囲の外側へ変移可能であるため緩衝機能を有し、さらに移動制限部材と箱本体との間には緩衝空間が構成されているので、包装箱に衝撃が加えられても、その衝撃は吸収され、被包装物がより保護される。
【００１５】
また、本発明の包装箱は、請求項４に記載のように、前記移動制限部材を、各々異なる５方向に備えたことを特徴とすることもできる。
【００１６】
この構成によれば、緩衝機能を有する移動制限部材が各々異なる５方向に備えられているので、より高い緩衝効果を得ることができる。
【００１７】
【発明の実施の形態】
以下、本発明に係る包装箱の実施の形態について、図面を参照して説明する。
【００１８】
図１は、本実施の形態の包装箱１０の斜視図であり、図２は、本実施の形態の包装箱１０の印刷面（印刷が施される面）側の展開図である。なお、図２に示される実線は所謂切取線を意味し、実線をはさんで隣接する構成要素同士は連接されておらず切り離されている。また、図２に示される二点鎖線は所謂折目線を意味し、二点鎖線をはさんで隣接する構成要素同士は連接されている。また、印刷面とは、包装箱１０が組み立てられた状態で外側になる面をいい、この面にディスプレイ効果を持たせるための印刷が施される。
【００１９】
図２に示すように、包装箱１０は、箱本体としての、底板１２、側面板１４Ａ、１４Ｂ、上面板１６、開閉板２０、及び、蓋としての蓋板２２Ａ、２２Ｂを備える。これらの構成要素、及び、後述する各構成要素のすべては、一枚の板から型取りされ、一体的に形成される。
【００２０】
蓋板２２Ａ、蓋板２２Ｂ、底板１２、及び開閉板２０は、この順で一方向のＨ方向に連接されている。蓋板２２Ａと蓋板２２Ｂとは、折目ａを介して連接され、蓋板２２Ｂと底板１２とは、折目ｂを介して連接され、底板１２と開閉板２０とは、折目ｃを介して連接されている。蓋板２２Ａの折目ａと反対側の端辺中央部には、折目ｇを介して止め板２４が連接されている。開閉板２０の折目ｃの反対側端辺には、折目ｈを介して止め板２８が連接され、折目ｈの中央部には、止め板２４を差し込み可能な止め孔３０が穿孔されている。折目ａ〜ｃ、ｇ、及びｈは、印刷面と反対側の裏面を内側にして折り曲げ可能とされており、蓋板２２Ａ、２２Ｂ、及び開閉板２０が閉じられる際には、図３に示すように、隣接する板が互いに直交するように折り曲げられる。
【００２１】
窓付板としての蓋板２２Ａの中央部には、長方形状に形成された折目ａ１を介して４枚の平板で構成される緩衝部材６０が連接されている。図１に示すように、折目ａ１は、裏面を内側にして、緩衝部材６０と蓋板２２Ａとがほぼ直交するように折り曲げられ、折目ａ１の長方形内側には、窓６２が形成される。図３に示すように、緩衝部材６０の折目ａ１に沿った端辺６４は、蓋板２２Ａが閉じられた状態で、後述する収納部屋Ｒに収納されたデジタルカメラ等の被包装物Ｄ１に当接される。緩衝部材６０は、窓６２の形成された蓋板２２Ａと収納部屋Ｒに収納された被包装物Ｄ１との間に構成された空間（以下この空間を「緩衝空間Ｓ０」という）に配置されている。緩衝部材６０は、被包装物Ｄ１による蓋板２２Ａに向かう方向への押圧によって折れ曲がったり、押圧された方向に移動したりすることで変移可能となっている。
【００２２】
図２に示すように、底板１２、側面板１４Ａ、上面板１６、及び側面板１４Ｂは、この順でＨ方向と直交する方向に連接されている。側面板１４Ａと底板１２とは、折目ｄを介して連接され、上面板１６と側面板１４Ａとは、折目ｅを介して連接され、側面板１４Ｂと上面板１６とは、折目ｆを介して連接されている。
図１に示すように、折目ｄ〜ｆは、裏面を内側に、かつ、隣接する板が互いに直交するように折り曲げられる。底板１２の折目ｄと反対側には、接着部２６が折目ｉを介して連接されており、折目ｉは、裏面を内側に、かつ、接着部２６が底板１２と直交するように折り曲げられる。折目ｉは、側面板１４Ｂの折目ｆと反対側の端辺と一致され、接着部２６の印刷面側と側面板１４Ｂの裏面とは、接着剤によって接着されている。
【００２３】
図２に示すように、側面板１４Ａの２つの端辺には、フラップ３２、３４が各々折目ｊ、ｋを介して連接されており、側面板１４Ｂの折目ｆと直交する２つの端辺には、フラップ３６、３８が各々折目ｌ、ｍを介して連接されている。折目ｊ、ｋ、ｌ、ｍは、裏面を内側にして折り曲げ可能とされている。フラップ３２〜３８は、蓋板２２Ａ、２２Ｂ、及び開閉板２０を閉じる際には、連接された側面板１４Ａまたは１４Ｂと直交するように折り曲げられて包装箱１０の内部に格納される。
【００２４】
図２に示すように、上面板１６には、移動制限部材としての第１移動制限部材４０、第２移動制限部材４２、第３移動制限部材４４、第４移動制限部材４６Ａ、４６Ｂが、各々折目ｎ、ｏ、ｐ、ｑ、ｒを介して連接されている。図１に示すように、折目ｎ、ｏ、ｐ、ｑ、ｒは、裏面を内側にし、かつ、上面板１６と直交するように折り曲げられる。第１移動制限部材４０には、折目ｓを介して第５移動制限部材４８が連接されており、折目ｓは印刷面を内側にし、かつ、第１移動制限部材４０と第５移動制限部材４８とが直交するように折り曲げられる。第５移動制限部材４８の折目ｓと反対側の端辺には、折目ｖを介して支持部材５０が連接されており、折目ｖは裏面を内側にし、かつ、第５移動制限部材４８と支持部材５０とが直交するように折り曲げられる。
【００２５】
図１に示すように、支持部材５０の折目ｖに沿った端面５０Ａは、底板１２と当接され、これにより第５移動制限部材４８が、底板１２と平行に、かつ、所定距離離間した位置に支持される。また、図３に示すように、第１移動制限部材４０が、閉じられた状態の開閉板２０と平行に、かつ、所定距離離間した位置に支持される。第５移動制限部材４８は、第５移動制限部材４８の印刷面側から外側に向かうＶ方向に押されることにより、Ｖ方向に変移可能となっている。また、第１移動制限部材４０は、第１移動制限部材４０の印刷面側から外側に向かうＷ方向に押されることにより、Ｗ方向に変移可能となっている。第５移動制限部材４８と底板１２との間には、図３及び図４に示すように、緩衝空間Ｓ５が構成される。第１移動制限部材４０と開閉板２０との間には、図３に示すように、緩衝空間Ｓ１が構成される。
【００２６】
第５移動制限部材４８と第４移動制限部材４６Ａとは、折目ｔを介して連接されており、折目ｔは印刷面を内側にし、かつ、第５移動制限部材４８と第４移動制限部材４６Ａとが直交するように折り曲げられる。第５移動制限部材４８と第４移動制限部材４６Ｂとは、折目ｕを介して連接されており、折目ｕは印刷面を内側にし、かつ、第５移動制限部材４８と第４移動制限部材４６Ｂとが直交するように折り曲げられる。図３に示すように、折目ｖは、閉じられた状態の蓋板２２Ｂに当接され、これにより第５移動制限部材４８に連接された第４移動制限部材４６Ａ、４６Ｂが、閉じられた状態の蓋板２２Ｂと平行に、かつ、所定距離離間した位置に支持される。第４移動制限部材４６Ａ、４６Ｂは、第４移動制限部材４６Ａ、４６Ｂの裏面側から外側に向かうＸ方向に押されることにより、Ｘ方向に変移可能となっている。第４移動制限部材４６Ａ、４６Ｂと蓋板２２Ｂとの間には、図３に示すように緩衝空間Ｓ４が構成される。
【００２７】
図１に示すように、第４移動制限部材４６Ａは、折目ｑの延長上に位置する端辺側に、切欠部５４Ａを備え、第２移動制限部材４２は、折目ｑの延長上の端辺側に、折目ｑよりも第２移動制限部材４２の外側に突出した、突出部４２Ａを備える。切欠部５４Ａには突出部４２Ａが係合される。これと同様に、第４移動制限部材４６Ｂは、折目ｒの延長上に位置する端辺側に、切欠部５４Ｂを備え、第３移動制限部材４４は、折目ｒの延長上の端辺側に、折目ｒよりも第３移動制限部材４４の外側に突出した、突出部４４Ａを備える。切欠部５４Ｂには突出部４４Ａが係合される。
【００２８】
支持部材５０から第５移動制限部材４８にかけての折目ｖと直交する一の端面５０Ｂは、側面板１４Ａに当接されており、支持部材５０、第５移動制限部材４８、及び第４移動制限部材４６Ｂにより、第３移動制限部材４４が側面板１４Ａと平行に、かつ、所定距離離間した位置に支持される。第３移動制限部材４４は、第３移動制限部材４４の印刷面側から外側に向かうＹ方向に押されることにより、Ｙ方向に変移可能となっている。第３移動制限部材４４と側面板１４Ａとの間には、図４に示すように、緩衝空間Ｓ３が構成される。
【００２９】
支持部材５０から第５移動制限部材４８にかけての折目ｖと直交する他の端面５０Ｃは、側面板１４Ｂに当接されており、支持部材５０、第５移動制限部材４８、及び第４移動制限部材４６Ａにより、第２移動制限部材４２が側面板１４Ｂと平行に、かつ、所定距離離間した位置に支持される。第２移動制限部材４２は、第２移動制限部材４２の印刷面側から外側に向かうＺ方向に押されることにより、Ｚ方向に変移可能となっている。第２移動制限部材４２と側面板１４Ｂとの間には、図４に示すように緩衝空間Ｓ２が構成される。
【００３０】
第１移動制限部材４０の折目ｎ側から上面板１６に架けては、折目ｎと直交する２本の切込５２Ａ、５２Ｂが形成されている。切込５２Ａと５２Ｂとの間には、切込部５２が形成されており、切込部５２の折目ｎに沿った中央部には、折目ｚが形成されている。切込部５２は、折目ｘ及び折目ｙを介して第１移動制限部材４０及び上面板１６の各々と連接されている。切込部５２は、印刷面を内側にして折目ｚで折り曲げられており、折目ｘ及び折目ｙは、裏面を内側にし、かつ、隣接する板が互いに直交するように折り曲げられる。
【００３１】
上記構成によれば、蓋板２２Ａ、２２Ｂを開けた状態で表出される部分のほとんどが印刷面なので、蓋板を開けたときのディスプレイ効果を得ることができる。
【００３２】
第１移動制限部材４０、第２移動制限部材４２、第３移動制限部材４４、第４移動制限部材４６Ａ、４６Ｂ、第５移動制限部材４８、及び緩衝部材６０は、これらの内側に、可視範囲としての収納部屋Ｒを構成する。収納部屋Ｒに収納された被包装物Ｄ１は、その移動が収納部屋Ｒ内に制限され、蓋板２２Ａ、２２Ｂが閉じられた状態で、その上側中央部が常に窓６２を介して箱本体の外部から視認可能とされる。収納部屋Ｒの第５移動制限部材４８と反対側には、開口部Ｋが構成される。
【００３３】
次に、本実施の形態の作用について説明する。
【００３４】
上記のようにして構成された収納部屋Ｒに、開口部Ｋから被包装物Ｄ１が収納される。開閉板２０が裏面を内側にし、かつ、開閉板２０と底板１２とが直交するように折り曲げられ、止め板２８が上面板１６の内側に差し込まれる。蓋板２２Ａ、２２Ｂが裏面を内側にし、かつ、蓋板２２Ａ、２２Ｂと隣接する板とが互いに直交するように折り曲げられ、止め板２４が止め孔３０に差し込まれて、蓋板２２Ａ、２２Ｂが閉じられ、被包装物Ｄ１の包装が完了する。
【００３５】
上記のように、本実施の形態の包装箱１０は、開口部Ｋを有するので、開口部Ｋから被包装物の出し入れをすることができ、利便性が高い。また、開口部Ｋをカバーする蓋板２２Ａ、２２Ｂを有するので、開口部Ｋから外側への被包装物Ｄ１の移動を防止することができる。
【００３６】
この状態において、包装箱１０の外側からは、図５に示すように、窓６２を介して被包装物Ｄ１の一部が見えるので、蓋板２２Ｂを開けることなく被包装物Ｄ１を確認することができる。また、包装箱に必ずしも被包装物Ｄ１の写真等を印刷する必要もなくなる。さらに、窓６２から表出される部分を、被包装物Ｄ１の特徴的な部分、デザイン的に優れた部分等とすることで、ディスプレイ効果を得ることができる。
【００３７】
なお、本実施の形態では、窓６２及び緩衝部材６０を蓋板２２Ａの中央部に形成した例について説明したが、例えば、図５と天地を逆にした図６に示すように、開閉板２０や底板１２に、緩衝部材７０、８０、及び窓７２、８２を形成することもできる。この場合には、図７に示す緩衝空間Ｓ１、Ｓ５に収納された被包装物を包装箱１０の外部から見ることができる。
【００３８】
被包装物Ｄ１が包装された状態で、包装箱１０に衝撃が加えられた場合、底板１２、側面板１４Ａ、１４Ｂ、開閉板２０、蓋板２２Ｂ、２２Ａ、及び緩衝部材６０の少なくとも１つの少なくとも一部分が、収納部屋Ｒ側に変移するが、これらの箱本体と被包装物Ｄ１の間には緩衝空間Ｓ０〜Ｓ５が構成されているので、被包装物Ｄ１への直接の衝撃は回避される。
【００３９】
また、衝撃が加えられて被包装物Ｄ１により、緩衝部材６０が蓋板２２Ａ側のＵ方向（図３及び図４参照）へ押されると、緩衝部材６０は同方向へ変移する。
これにより、被包装物Ｄ１への衝撃は吸収される。
【００４０】
また、第１移動制限部材４０が押圧されると、第１移動制限部材４０は、支持部材５０による支持に抗して、Ｗ方向に変移する。また、被包装物Ｄ１により、第５移動制限部材４８が押圧されると、第５移動制限部材４８は、支持部材５０による支持に抗して、Ｖ方向に変移する。また、被包装物Ｄ１により、第２移動制限部材４２が押圧されると、第２移動制限部材４２は、第４移動制限部材５４Ａと第５移動制限部材４８とによる支持に抗して、Ｚ方向に変移する。また、被包装物Ｄ１により、第３移動制限部材４４が押圧されると、第３移動制限部材４４は、第４移動制限部材５４Ａと第５移動制限部材４８とによる支持に抗して、Ｙ方向に変移する。そして、被包装物Ｄ１により、第４移動制限部材４６Ａ、４６Ｂが押圧されると、第４移動制限部材４６Ａ、４６Ｂは、第５移動制限部材４８による支持に抗して、Ｘ方向に変移する。これにより、被包装物Ｄ１への衝撃は吸収される。
【００４１】
本発明の包装箱１０によれば、上記緩衝機能を有する緩衝部材６０が、蓋板２２Ａと連接されているので、緩衝部材６０を、蓋板２２Ａの延長部分の窓６２が構成される部分を利用して箱本体と一体的に形成することができ、上記緩衝効果を有し、かつ、被包装物を外部から見ることの可能な包装箱を、容易に製造することができる。
【００４２】
なお、第１〜第５移動制限部材は必ずしも必要ではなく、これらに代えて、底板１２、側面板１４Ａ、１４Ｂ、及び、開閉板２０、２２Ａ、２２Ｂにより被包装物を収納する収納部屋を構成することもできる。特に本実施の形態のように、第１〜第５移動制限部材で、箱本体の外部から被包装物の上側中央部が見える可視範囲内に被包装物Ｄ１の移動を制限することにより、被包装物Ｄ１が動いて包装する者の意図しない部分のみが見えるのを防止することができ、被包装物Ｄ１をより容易に確認することができる。
【００４３】
また、緩衝空間Ｓ１〜Ｓ５は、必ずしも必要ではなく、第１〜第５移動制限部材は、各々箱本体に当接して、収納部屋Ｒを構成することもできる。特に、本実施の形態のように、各々異なる５方向に第１〜第５移動制限部材を設け、緩衝空間Ｓ１〜Ｓ５を構成し、緩衝空間Ｓ０も含めて被包装物Ｄ１の周囲全てに緩衝空間を構成することにより、周囲６面全てを緩衝することができ、より高い緩衝効果を得ることができる。
【００４４】
また、本実施の形態では、第１〜第５移動制限部材が箱本体と一体的に形成されると共に、移動制限部材が、接着剤等を用いることなく構成されているので、包装箱の製造を容易に行うことができる。
【００４５】
また、本実施の形態の包装箱１０は、蓋板２２Ａ、２２Ｂ、２０、と箱本体とが一体的に形成されているので、蓋が箱本体と別体に設けられた場合と比較して、部品点数を減少させることができる。
【００４６】
また、本実施の形態では、緩衝部材６０は、図２〜図４に示すように、４枚の平板で平板状に構成されている例について説明したが、図８（Ａ）の展開図に示すように、窓６２が構成される位置に配置された４枚の三角形状の板を、折目ａ１に沿った折目ａ２及び折目ａ３で、隣接する板面が互いに直交するように裏面を内側にして折り曲げて、断面渦巻き状に緩衝部材６６（図８（Ｂ）参照）を構成することもできる。
【００４７】
この構成によれば、蓋板２２Ａと被包装物Ｄ１との間に配置される緩衝部材６６の体積が、前述の緩衝部材６０と比較して大きいので、より高い緩衝効果を得ることができる。
【００４８】
【発明の効果】
上記説明したように、本発明によれば、箱本体及び蓋の少なくとも一方には窓があるため、窓を介して包装された被包装物の少なくとも一部を見せることができる。その結果、容易に被包装物の確認を行うことができる。また、本発明の包装箱によれば、緩衝効果を有する緩衝部材は、箱本体及び蓋に形成された窓と連接されているので、箱本体と緩衝部材、又は、蓋と緩衝部材、とを一体的に形成することができ、上記緩衝効果を有し、かつ、被包装物を外部から見ることの可能な包装箱を、容易に製造することができる。
【図面の簡単な説明】
【図１】本実施の形態の蓋が開いた状態の包装箱の斜視図である。
【図２】本実施の形態の包装箱の展開図である。
【図３】図１に示す本実施の形態の包装箱のＡ−Ａの断面図である。
【図４】図１に示す本実施の形態の包装箱のＢ−Ｂの断面図である。
【図５】本実施の形態の蓋が閉じた状態の包装箱の斜視図である。
【図６】本実施の形態の変形例の蓋が閉じた状態の包装箱の斜視図である。
【図７】図６に示す変形例のＣ−Ｃの断面図である。
【図８】（Ａ）は本実施の形態の変形例の緩衝部材の展開図であり、（Ｂ）はこの緩衝部材の断面図である。
【符号の説明】
１０　　包装箱
１２　　底板（箱本体）
１４Ａ、１４Ｂ　側面板（箱本体）
１６　　上面板（箱本体）
２０　　蓋板（箱本体）
２２Ａ　蓋板（蓋）
２２Ｂ　蓋板（蓋、窓付板）
４０　　第１移動制限部材（移動制限部材）
４２　　第２移動制限部材（移動制限部材）
４４　　第３移動制限部材（移動制限部材）
４６Ａ、４６Ｂ　第４移動制限部材（移動制限部材）
４８　　第５移動制限部材（移動制限部材）
６０、６６、７０、８０　緩衝部材
６２、７２、８２　窓
Ｄ１　　被包装物
Ｋ　　　開口部
Ｒ　　　収納部屋（可視範囲）
Ｓ０〜Ｓ５　　　緩衝空間
【図１】
2004059054.tif 000003
【図２】
2004059054.tif 000004
【図３】
2004059054.tif 000005
【図４】
2004059054.tif 000006
【図５】
2004059054.tif 000007
【図６】
2004059054.tif 000008
【図７】
2004059054.tif 000009
【図８】
2004059054.tif 000010